【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
画像が読み取られるシートが載置されるシート台と、
前記シート台を開放又は閉鎖する開閉部と、
前記シート台に対する前記開閉部の角度を開放角度として、
前記開閉部が前記シート台を閉鎖する第一の開放角度に、開閉部を保持する保持部と、
前記開閉部を装置本体に対し回転可能に支持し、前記保持部による保持を解除された開閉部を第二の開放角度に移動させる開閉部支持部と、
前記シート台に載置されたシートのサイズを検知するサイズ検知部と、
前記サイズ検知部により検知されたシートのサイズに関する情報を記憶する記憶部と、を備え、
前記第一の開放角度から、前記第一の開放角度と前記第二の開放角度の間の第三の開放角度に前記開閉部が移動した場合に、前記記憶部に記憶されたシートのサイズに関する情報がリセットされることを特徴とする画像読取装置。
【請求項２】
前記第二の開放角度よりも閉鎖方向の開放角度を第四の開放角度として、前記開閉部が第四の開放角度にある時に前記シート台に載置されたシートのサイズの検知を開始することを特徴とする請求項１に記載の画像読取装置。
【請求項３】
前記第二の開放角度よりも開放方向の開放角度を第五の開放角度として、開閉部が第五の開放角度にある時に、前記シート台に載置されたシートのサイズの検知を開始することを特徴とする請求項１に記載の画像読取装置。
【請求項４】
前記開閉部支持部は、前記開閉部を開く方向に付勢する付勢部を備え、前記付勢部は、前記装置本体に対して前記第一の開放角度から前記第二の開放角度までの範囲に前記開閉部がある状態においては、前記開閉部の自重によるモーメントよりも大きなモーメントを発生し、且つ、前記開閉部が前記第二の開放角度より開いた状態においては、前記開閉部の自重によるモーメントと均衡するモーメントを発生するように、前記開閉部を付勢することを特徴とする請求項１乃至３のいずれか１項に記載の画像読取装置。
【請求項５】
前記開閉部は、画像が読み取られるシートを画像読取位置に搬送するシート搬送部を備えることを特徴とする請求項１乃至４のいずれか１項に記載の画像読取装置。
【請求項６】
前記サイズ検知部は発光部と受光部を備える光学センサを備えることを特徴とする請求項１乃至５のいずれか１項に記載の画像読取装置。
【請求項７】
前記保持部は、前記装置本体、又は前記開閉部のどちらか一方側に設けられた磁石と、他方側に設けられた磁性体を備えることを特徴とする請求項１乃至６のいずれか１項に記載の画像読取装置。
【請求項８】
前記開閉部の開放角度を検知する、角度検知部を備えることを特徴とする請求項１乃至７のいずれか１項に記載の画像読取装置。
【請求項９】
前記開閉部の開閉動作を行う際に把持される把持部を備え、前記把持部を把持することにより前記保持部による保持状態は解除されることを特徴とする請求項１乃至８のいずれか１項に記載の画像読取装置。
【請求項１０】
請求項１乃至９のいずれか１項に記載の画像読取装置と
記録媒体に画像を形成する画像形成部と、
を備えることを特徴とする画像形成装置。
【手続補正２】
【補正対象書類名】明細書
【補正対象項目名】００１０
【補正方法】変更
【補正の内容】
【００１０】
本発明に係る画像取装置は、画像が読み取られるシートが載置されるシート台と、前記シート台を開放又は閉鎖する開閉部と、前記シート台に対する前記開閉部の角度を開放角度として、前記開閉部が前記シート台を閉鎖する第一の開放角度に、開閉部を保持する保持部と、前記開閉部を装置本体に対し回転可能に支持し、前記保持部による保持を解除された開閉部を第二の開放角度に移動させる開閉部支持部と、前記シート台に載置されたシートのサイズを検知するサイズ検知部と、前記サイズ検知部により検知されたシートのサイズに関する情報を記憶する記憶部と、を備え、前記第一の開放角度から、前記第一の開放角度と前記第二の開放角度の間の第三の開放角度に前記開閉部が移動した場合に、前記記憶部に記憶されたシートのサイズに関する情報がリセットされることを特徴とする。
【手続補正３】
【補正対象書類名】明細書
【補正対象項目名】００３３
【補正方法】変更
【補正の内容】
【００３３】
図５は、実施形態１に係るヒンジ装置１０を使用した場合の、自動原稿送り装置２の自重と、ヒンジ装置１０に設けられたバネ力（以下、ヒンジバネ力）と、により自動原稿送り装置２に発生するモーメントの関係を示した図である。横軸は自動原稿送り装置２の原稿台ガラス１０１に対する開放角度、縦軸はモーメントである。自動原稿送り装置２が原稿台ガラス１０１を閉鎖している時を開放角度０°とする。図中の点線は自動原稿送り装置２の自重によるモーメントで、原稿送り装置２が閉じる方向にかかるモーメントである。実線はヒンジバネ力によるモーメントで、原稿送り装置２が開く方向にかかるモーメントである。所定角度θ１以下においては、自動原稿送り装置２の自重によるモーメントよりもヒンジバネ力によるモーメントの方が大きくなるように設定している。所定角度θ１以上においては、自動原稿送り装置２によるモーメントとヒンジバネ力によるモーメントとが均衡するように設定している。そのため、自動原稿送り装置２を開放する際には軽い力で開放できるようになり、所定角度θ１以上においては、ユーザーの好きな位置に停止させることができるようになる。
【手続補正４】
【補正対象書類名】明細書
【補正対象項目名】００３６
【補正方法】変更
【補正の内容】
【００３６】
次に、図７、図８は自動原稿送り装置２をそれぞれ水平状態から角度θ２、θ１まで開放した場合のヒンジ装置１０の断面図である。自動原稿送り装置２を開放することによって、バネ軸Ｂ６とバネ軸Ａ１８の間隔が広がり、それに連動する形で、圧縮バネ１２、１６の反力を受けてバネホルダーＡ１７とバネホルダーＢ１５と間隔が広がる。図に示す通り、圧縮バネ１６は開放角度がθ１、θ２のどちらの場合においても、バネホルダーＡ１７とバネホルダーＢ１５に両端が接触している状態である。一方、圧縮バネ１２は開放角度θ１以上（θ２）においては、バネホルダーＡ１７から完全に離れるようになっている。つまり、圧縮バネ１２が作用する開放角度θ１以下においては、自動原稿送り装置２の自重によるモーメントよりもヒンジのバネ力によるモーメントの方が大きくなるようにし、自動原稿送り装置２の開閉力を軽減させている。そして、圧縮バネ１２が作用しなくなる開放角度θ１よりも大きい場合（θ２の領域）においては、自動原稿送り装置２の自重によるモーメントとヒンジのバネ力によるモーメントを均衡状態にし、自由な開放角度で停止（フリーストップ）できるようにしている。
【手続補正５】
【補正対象書類名】明細書
【補正対象項目名】００４０
【補正方法】変更
【補正の内容】
【００４０】
自動原稿送り装置２を開閉する際には、取っ手５１を矢印Ｂ方向に押す。そうすることによって、取っ手５１は回動軸５６を中心に回動し、取っ手５１に取り付けられた磁石５２、５３は枠体フレーム１０２に取り付けられた磁性体５４、５５から離れ、磁気的結合力が解除される。磁気的結合力がなくなると、保持状態が解除され自動原稿送り装置２は開放角度θ１のところまで、ヒンジ装置１０のバネ力のみで自動的に持ち上げられる（跳ね上がる）。